(57)【特許請求の範囲】
【請求項１】
本体に収納されるモータと、該モータの回転運動を往復運動に変更する刃駆動機構と、該刃駆動機構によって駆動する本体の前面下部から前方に伸びる２枚の刈込刃とを備えた刈込機において、
前記刈込刃とは反対側の本体後面には本体の重心の延長上に配置されて後方に伸びるハンドルを設けると共に、
前記本体の後面下部には前記ハンドルの下方に伸びる保護カバーを取り付け、該保護カバーは前記ハンドルよりも横幅を広く設けると共に側部を上方に向けて湾曲させて前記ハンドルの下方全体を覆うことを特徴とする刈込機。
【請求項２】
前記本体の底面には下方に突出する脚部を備え、該脚部によって前記本体を床面に置いたときに前記本体底面と前記刈込刃と前記保護カバーとが床面と接触しないようになっていると共に、
前記本体底面と床面との間に本体の熱を逃がすための間隔を形成することを特徴とする請求項１に記載の刈込機。
【請求項３】
前記保護カバーは前記本体に着脱可能に取り付けられており、前記保護カバーには前記脚部と係合する係合部を設け、その脚部によって前記保護カバーの位置決めを行うことを特徴とする請求項２に記載の刈込機。
【請求項４】
前記ハンドルには回転軸を設けると共に、前記本体の後面には円弧状の係止孔を設け、
かつ、前記保護カバーには前記回転軸に嵌合する連接部材と、前記本体の係止孔に嵌合する係止片とを設け、
前記保護カバーが前記回転軸を中心に回動可能に取り付けられており、
前記本体を傾けたときにも前記保護カバーが前記ハンドルの下方に位置することを特徴とする請求項１から３のいずれかに記載の刈込機。
【請求項５】
前記回転軸を中心に回動する前記保護カバーを固定するロック部を設けたことを特徴とする請求項４に記載の刈込機。
【発明の詳細な説明】
【技術分野】
【０００１】
この発明は、生垣や植木などの刈込みを行う刈込機の構造に関する。
【背景技術】
【０００２】
本体内にモータと、このモータの駆動軸と連結してモータの回転運動を往復運動に変える刃駆動部とを備え、本体の前面下部には刃駆動部に連結した２枚の刈込刃を取り付け、２枚の刈込刃の往復運動によって枝葉を刈取る刈込機が知られている。刈込機は刈込刃とは反対側の本体の後面上部にハンドルが設けられ、作業者はこのハンドルを持って刈込作業を行うものである（特許文献１参照）。
【特許文献１】特開２００３−１０２２７１号  公報
【発明の開示】
【発明が解決しようとする課題】
【０００３】
刈込作業を行うために枝葉に刈込刃を近づけたときは本体やハンドルのすぐ下に枝葉が位置しており、ハンドルを持つ手が枝葉にあたることがあるため、この枝葉からハンドルを持つ手を保護する必要がある。特許文献１のようにハンドルが本体の上部に配置されているものでは、ハンドルを持つ手と枝葉との間に間隔ができ、手が枝葉にあたりにくくなっているが、ハンドルを持つ手の下方に枝葉を遮断するものがないため、枝葉から確実に手を保護できるものではなかった。
【０００４】
また、本体内部には重量のあるモータが配置され、本体の前面下部には刈込刃が取付けられているため、上記のように本体の後面上部にハンドルを配置すると、ハンドルを持って手を支えるときの重量バランスが悪く、ハンドルを支える手に負担がかかり、刈込機の取り扱い性が悪くなる欠点がある。
【課題を解決するための手段】
【０００５】
この発明は上記の課題を解決するもので、本体１に収納されるモータ２と、該モータ２の回転運動を往復運動に変更する刃駆動機構３と、該刃駆動機構３によって駆動する本体１の前面下部から前方に伸びる２枚の刈込刃４とを備えた刈込機において、前記刈込刃４とは反対側の本体１後面には本体１の重心の延長上に配置されて後方に伸びるハンドル５を設けると共に、前記本体１の後面下部には前記ハンドル５の下方に伸びる保護カバー６を取り付け、該保護カバー６は前記ハンドル５よりも横幅を広く設けると共に側部を上方に向けて湾曲させて前記ハンドル５の下方全体を覆うことを特徴とするものである。
【０００６】
保護カバー６は側部を上方に向けて湾曲させたから、本体１を傾けたときにも保護カバー６がハンドル５を持つ手の下方に位置しており、湾曲した保護カバー６の底面が枝葉と接触して枝葉を遮ることができると共に、保護カバー６の端部が底面より上方に位置しているから、保護カバー６の底面が枝葉に接触した状態で本体１を移動するときに、保護カバー６の端部が枝葉に引っ掛かることがない。また、ハンドル５を持って本体１を支えるときの重量バランスがよくなり、作業性が向上できた。
【０００８】
また、前記本体１の底面には下方に突出する脚部１ａを備え、該脚部１ａによって前記本体１を床面に置いたときに前記本体１底面と前記刈込刃４と前記保護カバー６とが床面と接触しないようになっていると共に、前記本体１底面と床面との間に本体１の熱を逃がすための間隔を形成することにより、刈込作業後にモータ２の熱で高温となる本体１や刈込刃４から床面を保護できると共に、保護カバー６の破損を防ぐことができる。
【０００９】
また、前記保護カバー６は前記本体１に着脱可能に取り付けられており、前記保護カバー６には前記脚部１ａと係合する係合部６ａを設け、その脚部１ａによって前記保護カバー６の位置決めを行うことにより、保護カバー６の着脱が簡単にできるものである。
【００１０】
また、前記ハンドル５には回転軸７を設けると共に、前記本体１の後面には円弧状の係止孔８を設け、かつ、前記保護カバー６には前記回転軸７に嵌合する連接部材６ｂと、前記本体１の係止孔８に嵌合する係止片６ｃとを設け、前記保護カバー６が前記回転軸７を中心に回動可能に取り付けられており、前記本体１を傾けたときにも前記保護カバー６が前記ハンドル５の下方に位置するから、本体１を傾けて刈込作業を行うときもハンドル５を持つ手の全体を覆うことができ、ハンドル５の下方の枝葉から確実に手を保護することができる。
【００１１】
また、前記回転軸７を中心に回動する前記保護カバー６を固定するロック部を設けたから、刈込作業時に枝葉のある方向に保護カバー６を向けて固定することで、ハンドル５を持つ手を枝葉から保護することができる。
【発明の効果】
【００１２】
この発明の刈込機は、本体１後面に設けたハンドル５の下方にハンドル５の下方全体を覆う保護カバー６を取り付けたものであり、刈込作業時にハンドル５を持つ手の下方全体を保護カバー６によって覆うことができるようにしたから、刈込作業時にハンドル５の下方に位置する枝葉を保護カバー６によって遮ることができ、ハンドル５を持つ手を枝葉から保護できるものとなった。
【００１３】
また、保護カバー６は側部を上方に向けて湾曲させたから、湾曲した保護カバー６は本体１を傾けたときにもハンドル５の下方に位置しており、保護カバー６によって枝葉を遮ることができると共に、湾曲した保護カバー６は枝葉と接触する底面より端部が上方に位置しているので、本体１を移動するときや本体１を傾けたときに保護カバー６が枝葉に引っ掛かることがなく、ハンドル５を持つ手に枝葉があたることなく刈込作業を行うことができる。
【００１４】
また、ハンドル５の下方に保護カバー６を配置したことにより、本体１後面に形成するハンドル５の位置を低くしてもハンドル５を持つ手が枝葉にあたることはなくなったから、ハンドル５を本体１の重心の延長上に配置することで、ハンドル５が本体１の重心と同じ高さに位置するから、本体１の重心に近い位置で本体１を支えることができるものとなり、本体１を支えるときの重量バランスがよくなったから、刈込作業時にハンドル５を持つ手にかかる負担を低減することができた。
【００１５】
また、本体１の底面には下方に突出する脚部１ａを設け、刈込機を床面に置いたときに脚部１ａによって本体１を支持する構成であり、本体１の底面と刈込刃４と保護カバー６とが床面に接触しないようになっている。このため、刈込作業後はモータ２の熱で本体１の底面が高温となっているが、本体１の熱が床面に伝わることはなく、本体１の底面と床面との間に間隔が形成されるから本体１内の温度が低下しやすくなる。また、刈込刃４や保護カバー６によって床面を傷つけたり、刈込刃４や保護カバー６の破損を防ぐことができるものとなり、取扱いやすい刈込機が実現できた。
【００１６】
また、保護カバー６は本体１に着脱可能に取り付けて、刈込機の保管時に保護カバー６を取外すことでコンパクトに収納できるものであり、保護カバー６には本体１の脚部１ａと係合する係合部６ａを設け、保護カバー６の取り付け時は係合部６ａが脚部１ａと係合することによって保護カバー６の位置決めができるようにしたから、保護カバー６の着脱作業が簡単にできるようになる。
【００１７】
また、保護カバー６はハンドル５に設けた回転軸７と、本体１後面に設けた円弧状の係止孔８とによって回動可能に取り付けられており、刈込刃４を縦向きで使用するために本体１を傾けたときに、保護カバー６がその自重によって可動してハンドル５の下方に位置するようになっているから、保護カバー６を常にハンドル５を持つ手と枝葉との間に位置させることができ、ハンドル５を持つ手を保護できる範囲が広がり、確実に枝葉から手を保護することができる。
【００１８】
また、保護カバー６にはロック部を設けて、ロック部によって保護カバー６を任意の位置で固定できるようにしたから、ハンドル５の側方に枝葉があるような場合には保護カバー６をハンドル５の側方に固定することで、ハンドル５を持つ手を確実に枝葉から保護できるものである。
【発明を実施するための最良の形態】
【００１９】
図に示す実施例によってこの発明を説明すると、１は刈込機の本体、２は本体１内に配置したモータ、２ａはモータ２から下方に伸ばした駆動軸であり、駆動軸２ａの先端にはギアが形成されている。３はモータ２の駆動軸２ａと連結する刃駆動機構、３ａは刃駆動機構３を構成する駆動ギア、３ｂ・３ｃは駆動ギア３ａの下面に取り付けられて上下に配置した２枚の偏心カムであり、この上下２枚の偏心カム３ｂ・３ｃは互いに１８０度の位相差を有するように駆動ギア３ａに取り付けられている。モータ２が駆動すると駆動軸２ａのギアと噛合う刃駆動機構３の駆動ギア３ａが回転し、駆動ギア３ａに備えた偏心カム３ｂ・３ｃが駆動軸２ａの回転運動を往復運動に変換する。
【００２０】
４は本体１の前面下部に取り付けた上下に重ねて配置した２枚の刈込刃であり、刈込刃４を構成する上刃４ａと下刃４ｂは刃駆動機構３の２枚の偏心カム３ｂ・３ｃにそれぞれ嵌合されている。モータ２が駆動すると偏心カム３ｂ・３ｃに連結した上刃４ａと下刃４ｂとがそれぞれ前後方向に往復運動するものであり、偏心カム３ｂ・３ｃの働きによって上刃４ａが前方に移動するときに下刃４ｂが後方に移動し、上刃４ａが後方に移動するときに下刃４ｂが前方に移動するものであり、互いに逆方向に往復運動する上刃４ａと下刃４ｂのすり合わせによって枝葉の切断を行うことができるようになっている。
【００２１】
５は本体１の後面に設けたハンドル、１１は本体１の前面に設けた略Ｕ字状の補助ハンドルであり、作業者は本体１後面のハンドル５と本体１前面の補助ハンドル１１を持って刈込作業を行うものであり、刈込機はモータ２や刈込刃４の重量によって本体１が重くなっているが、補助ハンドル１１を設けたことによって刈込機を両手で持って作業できるようになっている。１２は補助ハンドル１１の前方に設けた前ガードであり、刈込刃４によって刈取られて飛散する枝葉は前ガード１２によって遮断されており、作業者の手元に枝葉が届かないようにしている。
【００２２】
前ガード１２は刈込刃で刈取られて飛散する枝葉から手を保護するためものであるが、生垣や植木の刈込作業を行うために刈込刃を枝葉に近づけたときは本体のすぐ下に枝葉が位置するため、ハンドル５を持つ手を枝葉から保護する必要があるが、従来の刈込機にはハンドル５を持つ手を枝葉から保護するためのガード等は備えていなかった。従来の刈込機はハンドルが本体の上部に形成したものが一般的であり、ハンドルと枝葉との間の距離をあいているので手が枝葉にあたりにくくなっているが、ハンドルと枝葉との間には手を覆うものがないため、枝葉から完全に手を保護できるようにはなっていなかった。また、この構造では重量のあるモータよりも高い位置にハンドルが位置しているため、ハンドルを持って本体を支えたときの重量バランスが悪く、ハンドルを持つ手に負担がかかり、作業性を悪くしていた。
【００２３】
この発明の実施例において、６は本体１の底面に取り付けた保護カバーであり、この保護カバー６は本体１の後面下部からハンドル５の下方に伸びており、保護カバー６の横幅がハンドル５の横幅よりも広くなるように形成したものである。このため、ハンドル５を持つ手の下方全体を保護カバー６によって覆うことができ、刈込作業時に本体１を枝葉に近づけたときにハンドル５を持つ手と枝葉との間に保護カバー６が位置し、保護カバー６によって枝葉を遮ることができるから、ハンドル５を持つ手が枝葉にあたることなく作業を行うことができるものとなった。
【００２４】
また、この発明の保護カバー６は側部を上方に向けて湾曲した形状にしており、刈込作業時に刈込機を傾けたときは、本体１がハンドル５を中心にして傾くが、ハンドル５の下方を覆うように湾曲した保護カバー６は本体１を傾けたときもハンドル５の下方に位置しており、湾曲した保護カバー６の底面が枝葉に接触して枝葉を遮ることができるから、ハンドル５を持つ手を枝葉から保護することができる。また、湾曲した保護カバー６の端部は底面より上方に位置しているから、保護カバー６の底面が枝葉に接触していても保護カバー６の端部が枝葉に引っ掛かることはなく、刈込作業が行いやすくなる。
【００２５】
そして、上記のようにハンドル５の下方に保護カバー６を取り付けたことにより、ハンドル５の位置を低くしてもハンドル５を持つ手が枝葉にあたることがなくなったから、この発明の実施例ではハンドル５が本体の重心と同じ高さに位置するよう、ハンドル５を本体１の重心の延長上に配置したものであり、実施例ではハンドル５の中心軸が本体１の重心と同じ高さとなるように配置されている。
【００２６】
ハンドル５を本体１の重心より低い位置に配置すると本体１を支える手よりも上方に重量がかかり、ハンドル５を本体１の重心より高い位置に配置すると本体１を支える手の下方に重量がかかり、本体１を支えるときの重量バランスが悪くなるが、この発明のようにハンドル５を本体１の重心から外れない位置に配置すれば、ハンドル５を持って本体１を支えたときの重量バランスがよくなるから、ハンドル５が本体１の上部に位置しているものに比べて大変持ちやすいものとなり、ハンドル５を持つ手の負担が低減でき、作業性が向上できるものとなった。また、本体１はハンドル５を中心に傾くことから、本体１を傾けたときも本体１の重心に対するハンドル５の位置関係が変わらないので、本体１を傾けて作業するときもハンドル５を持つ手にかかる負担が少なくなり、作業性が向上できるものとなった。
【００２７】
また、１ａは本体１の底面の前後に設けた脚部であり、本体１の底面から下方に突出しており、刈込機を床面に置いたときに脚部１ａによって本体１を支えており、本体１の底面と刈込刃４と保護カバー６が床面と接触しないようになっている。刈込機の使用中は本体１内のモータ２の温度が高くなり、刈込機の使用直後は本体１内や本体１の底面の温度も高くなっているが、本体１の底面と床面との間に間隔があいているから、本体１の熱が床面に伝わることがなくなると共に、本体１内の熱が放熱されやすくなって本体１内の温度が低下しやすくなった。また、刈込刃４と保護カバー６を接触させて床面を傷つけたり、刈込刃４や保護カバー６を破損したりすることもなくなり、取扱いやすいものとなった。
【００２８】
また、保護カバー６は本体１に着脱可能に取り付けられており、刈込機の保管時には保護カバー６を取外すことでコンパクトに収納できるようになっている。６ａは保護カバー６に設けた本体１の後部側の脚部１ａと係合する透孔で構成する係合部であり、保護カバー６を取り付けるときは、係合部６ａを脚部１ａに係合させることで保護カバー６の位置決めができるようになっており、保護カバー６は位置決めされた状態でネジ等によって固定することができるから、保護カバー６の着脱作業が簡単にできるものである。
【００２９】
また、図２において、７はハンドル５の後端部に設けた回転軸、８は本体１の後面に設けた円弧状の係止孔、６ｂは保護カバー６の後端部に形成した連接部材、６ｃは保護カバー６の本体１側の先端に形成した係止片であり、連接部材６ｂにはハンドル５の回転軸７と嵌合する透孔を設けており、保護カバー６は連接部材６ｂの透孔をハンドル５の回転軸７に挿通すると共に、係止片６ｃを本体１後面の係止孔８に嵌合しており、ハンドル５の回転軸７を中心に回動可能に取付けられている。この保護カバー６は係止片６ｃが円弧状の係止孔８内を移動しながらハンドル５の回転軸７を中心に回動するものであり、本体１を左右に傾けたときにはその自重によって回転軸７を中心に回転してその位置を保持するものとなっている。
【００３０】
このため、通常の刈込刃４を横向きで作業しているときも、刈込刃４を縦向きにして作業するために本体１を横に傾けたときも、保護カバー６が本体１と一緒に傾くことなく常にハンドル５の下方に位置するから、本体１を傾けて作業するときもハンドル５を持つ手の下方全体を保護カバー６で覆うことができ、図３（ｂ）に示すように本体１を９０度近くまで傾けたときも保護カバー６がハンドル５の下方に位置するので、保護カバー６によって保護できる範囲が広くなり、ハンドル５の下方の枝葉から確実に手を保護することができるものとなった。
【００３１】
また、図４及び図５に示す実施例において、８ａは係止孔８内に突出させた段部、８ｂは係止孔８の端部と段部８ａとの間に形成した固定部であり、固定部８ｂは係止孔８の両端部の２箇所に設けられ、保護カバー６の位置を固定するロック部を構成している。９は保護カバー６を本体１側に付勢するバネであり、保護カバー６はバネ９によって係止片６ｃが係止孔８に押し付けられ、保護カバー６が回転して係止片６ｃが段部８ａの位置まで移動すると回動が停止し、保護カバー６は両端の段部８ａ間でフリーに可動できるようになっている。そして、保護カバー６の位置を固定したいときは、保護カバー６を手前に引きながら回転させると係止片６ｃが段部８ａを乗り越えて段部８ａの外側の固定部８ｂに移動し、この位置で保護カバー６から手を離せばバネ９によって保護カバー６が本体１側に移動して係止片６ｃが固定部８ｂ内に係合するので、保護カバー６がハンドル５の側方に固定できる。また、保護カバー６の固定を解除するときは、保護カバー６を手前に引きながら回転させれば係止片６ｃが段部８ａの内側に移動して保護カバー６が回動できるようになる。
【００３２】
このため、保護カバー６がハンドル５の下方だけでなく、ハンドル５の側方に位置させて使用することができ、刈込作業時にハンドル５の側方に枝葉がある場合には図５（ｂ）のように保護カバー６をハンドル５の側方に位置させてロック部によって固定すればよく、保護カバー６によってハンドル５の側方の枝葉から確実に手を保護できるものであり、作業性が向上できるものである。
【００３３】
また、図６はロック部の他の実施例を示すものであり、７ａは回転軸７に形成したネジ部、１０はネジ部７ａに取り付けた固定板、１０ａは固定板１０に設けた突起部であり、突起部１０ａを備えた固定板１０がロック部を構成している。固定板１０を回して締めると突起部１０ａが連接部材６ｂを押圧し、連接部材６ｂが挟持されて保護カバー６が固定されるものである。一方、固定板１０を緩めると連接部材６ｂから突起部１０ａが離れ、保護カバー６が回動可能となる。
【００３４】
図６の実施例の構成では保護カバー６を任意の位置で固定することができるので、作業者が好みの位置で保護カバー６を固定できるようになり、刈込作業時に枝葉の位置に合わせて保護カバー６の位置を変更することができ、使い勝手が向上できたものである。
【００３５】
また、保護カバー６を透明の素材で構成すれば、保護カバー６の下方の枝葉が確認できるので、刈込作業中に生垣や植木から刈込機を離さなくても刈り残しの有無や刈込跡の確認が行うことができ、刈り残しの有無や刈込跡の確認を行うために刈込作業を中断する必要がないから、作業性が向上できる。
【図面の簡単な説明】
【００３６】
【図１】この発明の実施例を示す刈込機の断面図である。
【図２】この発明の他の実施例を示す刈込機の断面図である。
【図３】図２に示す刈込機を後部側から見た説明図である。
【図４】この発明の他の実施例を示す刈込機の要部の断面図である。
【図５】図４に示す刈込機を後部側から見た説明図である。
【図６】この発明の他の実施例を示す刈込機の要部の断面図である。
【符号の説明】
【００３７】
１    本体
１ａ  脚部
２    モータ
３    刃駆動機構
４    刈込刃
５    ハンドル
６    保護カバー
６ａ  係合部
６ｂ  連接部材
６ｃ  係止片
７    回転軸
８    係止孔
８ａ  段部
８ｂ  固定部
９    バネ
１０    固定板
１０ａ  突起部
【図１】
0004811034.tif 000002
【図２】
0004811034.tif 000003
【図３】
0004811034.tif 000004
【図４】
0004811034.tif 000005
【図５】
0004811034.tif 000006
【図６】
0004811034.tif 000007